(57)【要約】【課題】  複数の人間が携帯電話を所有している際に、混乱の起きないようなプログラム処理を、低負荷で行うことにある。【解決手段】  携帯電話が複数台ある際、システムを管理する携帯電話を定め、その携帯電話がシステム全体を統括制御する。システムを管理する携帯電話はロケータ機能を備えるか、または運転手の所有する携帯電話を優先して用いる。携帯電話で実行されるプログラムの機能は、ロケータ機能，表示機能，音声再生機能，操作機能，画面作成転送機能，電話管理機能に分割され、携帯電話の処理負荷に応じてそれぞれの携帯電話で処理を分担する。【選択図】図２
2006339690.tif 000002
【特許請求の範囲】
【請求項１】
音声再生機能と、画面表示機能と、操作入力機能と、通信機能とを有し、プログラム実行機能を有する複数台の携帯電話において、
携帯電話のうち一つは、他の携帯電話のプログラム動作を規制する管理機能を有し、該全体制御機能は、音声再生機能と、画面表示機能と操作入力機能と通信機能の各機能を有効または無効にする機能を有し、
該全体制御機能を有する携帯電話は、各携帯電話の全体制御機能を制御して、各携帯電話の前記各機能を有効または無効にすることができるシステム全体制御機能を有する
ことを特徴とする携帯電話。
【請求項２】
請求項１において、システム全体制御機能は、管理機能を有する携帯電話の処理負荷を検知する手段と、処理負荷が増大した際において管理機能を有する携帯電話の音声再生機能を無効にし、他の携帯電話のいずれか一つにおいて音声再生機能を有効にすることを特徴とする携帯電話。
【請求項３】
請求項１において、各携帯電話の操作入力機能は、システム全体における操作の優先度を示す情報を有し、システム全体制御機能は、各携帯電話の操作入力が競合したことを検知する競合検知手段と、競合検知手段が競合を検知した際において操作の優先度により優先度の低い携帯電話の操作入力機能を無効にすることを特徴とする携帯電話。
【請求項４】
請求項１において、各携帯電話の全体制御機能は、携帯電話の状態を検知する状態検知手段を有し、管理機能を有する携帯電話の処理の不可に応じて、システム全体制御機能を有する携帯電話は、該携帯電話のシステムにおける処理を行う機能を無効にし、管理機能を代行することが可能な他の携帯電話に管理機能の代行を行うように必要な情報を送信し、該機能が可能な他の携帯電話において該機能を有効にすることを特徴とする携帯電話。
【請求項５】
請求項１において、各携帯電話で分担して作成された画像情報を受信し、各携帯電話に対して指定された画像表示位置に各画像を表示することを特徴とする外部表示装置。
【請求項６】
請求項５において、管理機能を有する携帯電話のシステム全体制御機能は、外部表示装置が複数ある場合、画像の送信元となる携帯電話のＩＤと、送信先となる外部表示装置のＩＤとを指定し、該携帯電話からの指定に基づき送信先の外部表示装置へ画像情報を転送することを特徴とする外部表示装置。
【発明の詳細な説明】
【技術分野】
【０００１】
本発明は、効率良くユーザに情報を提示する携帯情報端末とその情報を表示する情報表示装置に関する。
【背景技術】
【０００２】
一般に携帯電話のディスプレイは基本的に表示枠が狭いため、一度に多量の情報を表示するには不適である。特に携帯電話でナビゲーションを行う場合、画面が狭いため情報の視認性が低くなり、走行中に画面を注視したり操作を行ったりすることができないナビゲーション装置の表示装置としては不便である。そこで、携帯電話から表示情報を送信し、外部装置にて受信・表示するシステムとして、特開２００３−２４４２８９号公報や特開２００２−１６２９２０号公報に記載の技術が提案されている。
【０００３】
【特許文献１】特開２００３−２４４２８９号公報
【特許文献２】特開２００２−１６２９２０号公報
【発明の開示】
【発明が解決しようとする課題】
【０００４】
携帯電話に代表される携帯端末の画面をより大きな表示面積を持つ外部表示装置に表示させるという上記の従来技術では、携帯電話と外部表示装置との関係を１対１で対応させている。このため、携帯電話が普及した今日では、携帯電話を所有する人が増え、このような携帯電話の所有者が各自でアプリを動作させる場合、携帯電話の台数分の外部表示装置が用意できない場合には、１つの外部表示装置を複数の携帯電話で共有することになる為、利用者に混乱が生じる恐れがある。特にカーナビゲーション装置においては、たとえば、複数の携帯電話でそれぞれ別々の目的地を設定した場合、外部表示装置が出力する誘導表示またはガイダンス音声発話がどの目的地に対する進行方向なのかわからなくなる可能性もある。また、操作においても、複数の携帯電話において別々の目的地を設定しようとすると、実際に設定されている目的地を利用者が誤認識する可能性がある。
【０００５】
逆に、一台の携帯電話で複数の外部表示装置に転送しようとすると、一台の携帯電話に処理が集中し、処理負荷や消費電力が増大してアプリケーションの実行に支障を来す恐れもある。
【０００６】
そこで、本発明の目的は、複数の携帯電話の操作画面を外部の情報表示装置に出力する場合、処理の負荷分散を行い、１台の携帯電話に処理不可が集中することを回避し、また、複数の携帯電話で独自に操作を行う際に、競合の発生を回避して、複数の人間が携帯電話を所有している際においても、混乱の起きないようなアプリ動作を行う情報表示装置を提供することにある。
【課題を解決するための手段】
【０００７】
本発明においては、画面表示機能と、操作入力機能と、通信機能とを有するプログラム実行機能を有する複数台の携帯電話を備え、携帯電話のうち一つは、他の携帯電話のプログラム動作を規制する管理機能を有することを特徴とする。
【０００８】
また、該携帯電話のプログラム実行機能は、音声再生機能と画面表示機能と操作入力機能と通信機能と全体制御機能とに分割され、全体制御機能は、各機能を有効または無効にする機能を有し、管理機能を有する携帯電話は、各携帯電話の全体制御機能を制御することにより、各携帯電話の各機能を有効または無効にすることができるシステム全体制御機能を有する。携帯電話の全体制御機能は、携帯電話の場所を判別する機能を有する。
【０００９】
携帯電話のシステム全体制御機能は、管理機能を有する携帯電話の処理負荷を検知する手段と、処理負荷が増大した際において管理機能を有する携帯電話の音声再生機能を無効にし、他の携帯電話のいずれか一つにおいて音声再生機能を有効にする。各携帯電話の操作入力機能は、システム全体における操作の優先度を示す情報を有し、システム全体制御機能は、各携帯電話の操作入力が競合したことを検知する競合検知手段と、競合検知手段が競合を検知した際において操作の優先度により優先度の低い携帯電話の操作入力機能を無効にする。
【００１０】
各携帯電話の全体制御機能は、携帯電話の状態を検知する状態検知手段を有し、システム全体制御機能は、各携帯電話の状態がシステムにおける処理を続行不可能にした際において、該携帯電話のシステムにおける処理を行う機能を無効にし、該機能が可能な他の携帯電話において該機能を有効にする。管理機能を有する携帯電話の状態が管理機能を続行不可能にした際において、管理機能を有する携帯電話は、管理機能を代行することが可能な他の携帯電話に管理機能の代行を行うように必要な情報を送信する。管理機能または管理機能の代行機能を有する全ての携帯電話の状態が管理機能を続行不可能にした際において、管理機能を有する携帯電話は、システム全体を終了させる。システム全体制御機能は、携帯電話の場所および車両情報により、画面表示機能や操作入力機能の有効または無効を決定する。
【００１１】
また、該携帯電話から送信される画像情報を表示することを特徴とする外部表示装置が存在する。該携帯電話は、管理機能を有する携帯電話からの指示により外部表示装置に表示する画像情報の作成処理を分担する。該外部表示装置は、管理機能を有する携帯電話からの指示により他の外部表示装置へ画像情報を送信する。システム全体制御機能は、外部表示装置が複数ある場合、画像の送信元となる携帯電話のＩＤと、送信先となる外部表示装置のＩＤとを指定し、該携帯電話に対して該外部表示装置へ画像情報を送信するよう指令する。外部表示装置は、運転席か後部座席かのどちらかであるという情報を有し、システム全体制御機能は、助手席・後部座席乗車判別機能と、外部表示装置が後部座席に存在し後部座席に誰も乗車していない場合には後部座席の画像送信を中止する機能を有する。
【発明の効果】
【００１２】
本発明により、携帯電話が複数台ある際、メインの携帯電話を決め、メインの携帯電話が全体制御を行うことにより、他の携帯電話と協調して統一された誘導案内を行うことができるため、複数の人間が携帯電話を所有している際においても、混乱の起きないようなアプリ動作を行うことができる。
【００１３】
また、携帯電話におけるアプリ機能を分割し、他の携帯電話と機能を分担させることにより、アプリ機能における処理の負荷を軽減することができる。
【００１４】
さらに、携帯電話において電池残量低下などによりアプリ機能の処理が続行不可能となった際に、他の携帯電話に処理を移行させることにより、システム全体のロバスト化を図ることができる。
【発明を実施するための最良の形態】
【００１５】
本発明に係る情報表示装置をカーナビに適用した際の実施例を、図面を参照して説明する。
【００１６】
図１は本発明の実施例における、システムの全体構成である。本システムは、ＧＰＳ
(Global Positioning System) 用衛星３，基地局６，ネットワーク８、そして自動車１内に持ち込まれている携帯電話１００，１０２，外部表示装置１１０，１１１，ＥＣＵ
(Electric Control Unit)１２から構成されている。
【００１７】
外部表示装置１１０，１１１は、携帯電話１００，１０２の情報を表示するためのものであり、携帯電話と外部表示装置の間は無線通信により、外部表示装置への操作入力，外部表示装置の表示情報，ＥＣＵからの車両情報などを表す信号の送受が行われるが、有線通信でもよい。ＥＣＵ１２は自動車の電子制御を行う機能を持ち、車速信号やパーキングブレーキ信号，座席の乗車状況、具体的にはシートベルトロックオン信号を収集する情報は、このＥＣＵを介して取得される。
【００１８】
携帯電話１００には、携帯電話内の情報を表示する携帯電話ディスプレイ１０００，外部表示装置との通信を行う無線アンテナ１００１，ＧＰＳ衛星３からの測位用電波を受信するＧＰＳ受信アンテナ１００２，基地局６との間で携帯電話１００からの要求を送信し、またサーバ２０からの経路案内に必要な情報などを受信する通信を行う通話アンテナ
１００３が装備されている。外部表示装置１１０には携帯電話との無線通信を行うための送受信アンテナ１１００が装備されている。
【００１９】
図２は自動車１内のシステム構成図である。
【００２０】
携帯電話１００は、携帯電話ディスプレイ１０００の他に、処理部１０５０，外部表示装置と通信を行う無線通信部１０６０,基地局との通信を行う無線通信部１０７０,ＧＰＳユニット１０８０，音声出力装置１０９０，操作入カ装置１０９１を備えている。処理部１０５０は、携帯電話１００あるいは外部表示装置１１０で出力する画面または音声情報を作成するために、外部表示画面作成機能１０５１および携帯電話表示機能１０５２を備えている。外部表示画面作成機能１０５１は、外部表示装置１１０の表示部１１０２に表示する外部表示装置用コンテンツ情報を作成する。携帯電話表示機能１０５２は、携帯電話ディスプレイ１０００に出カする携帯電話用コンテンツ情報を作成する。外部表示装置用の無線通信部１０６０は、外部表示装置用の無線アンテナ１００１を介して外部表示装置１１０と情報の遣り取りを行い、外部表示画面作成機能１０５１で作成した画面または音声情報から成るコンテンツ情報を送信し、ＥＣＵ１２を介して収集した車両情報および外部表示装置１１０の操作入カ部１１０４からの入力情報を受信する。
【００２１】
無線通信部１０７０は、基地局６を介して、サーバ２０へ情報の要求を送信し、サーバ２０からの応答情報を受信する。ＧＰＳユニット１０８０は、ＧＰＳ受信アンテナ1002で受信したＧＰＳ衛星３からの測位用電波をロケータ機能で処理するためのＧＰＳデータに変換する。音声出力装置１０９０は、携帯電話表示機能１０５２により作成された画面に対応する音声データを抽出し、音声として出カする。操作入カ装置１０９１は、携帯電話１００への操作入カを受け付け、この操作入カを信号に変換して操作入力機能に送信する役割を持つ。操作入力装置１０９１の例としては、リモコン，キーボード，マウス，タッチパネル、マイクなどがある。
【００２２】
外部表示装置１１０は、外部表示装置用のコンテンツ情報の内容を表示する表示部1102，ＥＣＵ１２から車速信号およびパーキングブレーキ信号などの車両情報を収集する車両情報収集部１１０３，外部表示装置１１０への操作入カを受け付けてこの操作入カを信号として変換する操作入カ部１１０４，外部表示装置で出力するコンテンツ情報を受信し、また収集された車両情報および操作入力を送信する無線通信部１１０１を備えている。
【００２３】
携帯電話１００の処理部１０５０が備える機能には、ロケータ機能，携帯電話表示機能１０５２，音声再生機能，操作入力機能，外部表示画面作成機能１０５１，全体制御機能，システム全体制御機能，持ち主判別機能，電話管理機能がある。
【００２４】
ロケータ機能は、携帯電話１００に内蔵されているＧＰＳ受信アンテナ１００２で受信した測位電波に基づくＧＰＳデータによって地表における絶対座標を測位する機能、乃至はＥＣＵ１２から送信されるパーキングブレーキ信号や自車速度の情報を送受信アンテナ１００１で受信し、これを用いて自動車１または携帯電話１００の相対座標を計測する機能である。さらに携帯電話１００が地図情報を内蔵している場合にはその地図情報を用いて、地図の内どの道路もしくは施設に存在するかを算出するマップマッチ機能を備えることも可能である。
【００２５】
携帯電話表示機能１０５２は、携帯電話１００内の情報を画像として携帯電話ディスプレイ１０００に表示する機能のことである。携帯電話１００における携帯電話表示機能は、運転席用表示機能，助手席用表示機能，後部座席用表示機能とに分かれている。運転席用表示機能は、携帯電話１００の持ち主が運転席にいる場合に、携帯電話ディスプレイ
１０００に表示する機能である。運転中においては運転手が携帯電話ディスプレイ1000を注視するのを防ぐため、他の表示機能よりも簡易表示にすることが特徴である。助手席用表示機能は、携帯電話１００の持ち主が助手席にいる場合の表示機能であり、携帯電話ディスプレイ１０００に画面を表示する機能である。利用者が助手席にいる場合、運転手のナビの補助となることが多いので、他の表示機能よりも詳細に表示することが特徴である。後部座席用表示機能は、携帯電話１００の持ち主が後部座席にいる場合の表示機能であり、携帯電話ディスプレイ１０００に通常の画面を表示する機能である。
【００２６】
音声再生機能は、携帯電話１００の音声出力機能を用いて、例えば誘導音声を音声出力装置１０９０で再生する機能である。誘導音声出力の場合、「およそ１００ｍ先右方向です」「まもなく目的地付近です」等といった音声を再生する。この音声再生は、誘導音声の波形データを再生する場合と、誘導内容のテキスト情報から音声合成により誘導音声を生成する場合のどちらでも良い。操作入力機能は、携帯電話１００の操作入力装置1091により変換されたキー操作の信号を受け付け、操作された各キーに対応した処理を行う機能である。外部表示画面作成機能とは、外部表示装置１１０に表示する画像を作成して外部表示装置１１０へ転送する機能のことである。
【００２７】
全体制御機能とは、携帯電話１００内の各機能を統括し、それぞれの機能を動作させるか否かを制御する機能のことである。例えば、経路誘導の際に誘導音声再生を止めたい場合などには、全体制御機能は音声再生機能だけを停止させて音声出力を止めることが出来る。システム全体制御機能は、携帯電話１００乃至１０２の内、どの携帯電話でどの機能を有効にするかを制御する機能のことである。このシステム全体制御機能により、他の携帯電話表示機能や誘導音声再生機能を有効または無効にすることが可能である。
【００２８】
持ち主判別機能は、携帯電話１００の持ち主が、車内のどの座席に座っている人のものか対応関係を決める機能であり、携帯電話の操作者が運転手であるか、助手席にいる人であるか、後部座席にいる人であるかを判別するための機能である。この機能の実現には、座席に設けられたクレードル・コネクタに接続し、そのクレードル・コネクタから読み取ったＩＤと座席の対応関係から座席を判別するという方法がある。他の手段としては、各携帯電話の利用者に自分の着座した座席を入力させて判別するという方法がある。３点目は持ち主が運転手かどうかに関する情報を予め携帯電話１００に記録しておく方法、または盗難防止機能を応用して、解錠コードを内蔵した携帯電話１００を運転席に座る人のものと判断する方法がある。
【００２９】
電話管理機能は、携帯電話１００がどのような状態にあるか、例えば通話中か否か、電池残量や処理の負荷はどれくらいか、他プログラム起動中か否か、などの内部状態を検知する手段である。
【００３０】
外部表示装置１１０の処理部１１０６は、表示機能，通信機能，操作入力機能，座席情報格納機能，車両情報収集機能を備えている。表示機能は、携帯電話１００から送信された画像または外部表示装置１１０自身でレンダリングした画像を表示する機能である。通信機能は、無線通信部１１０１によって、携帯電話１００または他の外部表示装置１１１との通信を行う機能であり、携帯電話１００から画像を受信するだけでなく、その画像を他の外部表示装置１１１へ送信する機能や、他の外部表示装置１１１から送信された画像を受信する機能も有する。操作入力機能は、操作入力部１１０４に対する操作入力を受け付ける機能である。
【００３１】
座席情報格納機能は、外部表示装置１１０が運転席に取り付けられているか、もしくは後部座席に取り付けられているかという座席情報を記憶部１１０５に格納し、またその情報を読み出す機能である。この座席情報は、例えば、外部表示装置１１０を取り付けた者が取り付け時に手入力することによって作成される。車両情報収集機能は、車両情報収集部１１０３によってＥＣＵ１２からの情報、例えばパーキングブレーキ信号や各座席のシートベルトのＯＮ／ＯＦＦ信号，車速信号を収集する機能である。
【００３２】
図３は携帯電話１００の全体制御機能で管理に用いられる機能管理データ２６の構成図を示したものである。機能管理データ２６には、システムメインフラグ２６１，ロケータ機能有効フラグ２６２，携帯電話ディスプレイ表示機能情報２６３，誘導音声再生機能有効フラグ２６４，操作入力機能情報２６５，外部表示画面作成・転送機能情報２６６，持ち主判別情報２６７，電話管理情報２６８が格納される。
【００３３】
システムメインフラグ２６１は、この携帯電話１００がシステム管理権限を有するか否かを示す情報であり、基本的には車内で利用可能な携帯電話の内、このシステムメインフラグ２６１がＯＮになる１台だけである。ロケータ機能有効フラグ２６２は、ロケータ機能が有効か否か、および携帯電話１００にロケータ機能が搭載されているか否かを示す情報である。携帯電話ディスプレイ表示機能情報２６３は、携帯電話ディスプレイ１０００に対する表示を有効にするか否か、もし有効であればどのような情報を表示するかを示す情報である。誘導音声再生機能有効フラグ２６４は、音声再生機能により誘導音声の出力を有効にするか否かを示す情報である。操作入力機能情報２６５は、操作入力機能が有効か否かという情報や、操作が競合した際の優先順位などの情報が含まれている。外部表示画面作成・転送機能情報２６６は、外部表示装置１１０にどの画面を表示し、また他のどの外部表示装置に画面を転送するかを示す情報である。更に、外部表示装置１１０の表示画面において、上端，下端，左端，右端等あるいは画面の座標位置の指定により、どの位置に画像を表示するかという情報も含む。持ち主判別情報２６７は、持ち主判別機能により作成され、携帯電話１００の持ち主が運転手か、助手席にいる人か、後部座席にいる人かを判別する座席の情報が含まれている。電話管理情報２６８は、処理の負荷，電池残量，通話中か否か、他プログラム起動中か否かなど、携帯電話１００の動作状態の情報が格納される。
【００３４】
図４はシステム全体制御機能で用いられるシステム機能管理データ２７の構成図を示したものである。システム機能管理データ２７は、携帯電話数２７１，前述の携帯電話機能管理データ２６，座席情報２７２，外部表示装置管理情報２３から成り立っている。
【００３５】
携帯電話数２７１は、システムで登録されている携帯電話の数を示している。座席情報２７２は、各座席において乗車している人がいるか否かを示したものであり、ＥＣＵ１２からの各座席シートベルトＯＮ／ＯＦＦ信号または座席シート重量計により作成される。
【００３６】
外部表示装置管理情報２３は、外部表示装置１１０，１１１の情報を管理するためのものであり、外部表示装置数２３１，外部表示装置数分の外部表示装置情報２３２，０組以上の外部表示装置間画面転送情報２３３，０組以上の携帯電話−外部表示装置間画面転送情報２３４から成り立っている。
【００３７】
外部表示装置情報２３２は、それぞれの外部表示装置の機能に関する情報であり、運転席または後部判定フラグ２３２１,外部表示装置ＩＤ２３２２,操作入力機能情報２３２３を記憶している。運転席または後部判定フラグ２３２１は、対応する外部表示装置が運転席側、または後部座席側のどちらに設置されているかを示した情報であり、外部表示装置内の座席情報格納機能により作成された情報を無線通信部１０６０を介して受信し、格納している。外部表示装置ＩＤ２３２２は、システム全体制御機能により割り振った外部表示装置のＩＤである。操作入力機能情報２３２３は、対応する外部表示装置の操作入力デバイスの種類、および操作入力機能が有効か否かを示す情報、さらには外部表示装置の操作入力デバイスの操作が競合した際の優先順位などが含まれている。
【００３８】
外部表示装置間画面転送情報２３３は、ある外部表示装置１１０から他の外部表示装置１１１へ画像を転送する際に転送先と転送元を指定する情報であり、転送先外部表示装置ＩＤ２３３１，転送元外部表示装置ＩＤ２３３２が格納されている。
【００３９】
携帯電話−外部表示装置間画面転送情報２３４は、携帯電話１００から外部表示装置
１１０へ画像を転送する際に転送先と転送元を指定する情報であり、転送先外部表示装置ＩＤ２３４１，転送元携帯電話ＩＤ２３４２と転送する画像のＩＤである送信画像ＩＤ
２３４３が格納されている。
【００４０】
図５は上記の自動車１内のシステムにおける誘導音声再生方法を示したものである。この例では、車内で利用可能な携帯電話が３台有り、それぞれ携帯電話１０３，１０４，
１０５とする。また、機能管理データ２６内のシステムメインフラグ２６１がＯＮになっているのは携帯電話１０３だけであり、他の携帯電話１０４，１０５のシステムメインフラグ２６１はＯＦＦになっており、この車内のシステムを管理する携帯電話は、携帯電話１０３であるものとする。そして、誘導情報は携帯電話１０３から出力される状態となっているものとする。即ち、携帯電話１０３の誘導音声再生機能有効フラグ２６４がＯＮになっており、他の携帯電話１０４，１０５については誘導音声再生機能有効フラグ２６４がＯＦＦになっており、携帯電話１０３が誘導音声再生を行うようになっている。ここで、携帯電話１０３のシステム負荷が高くなると、携帯電話１０３はシステム全体制御機能を用いて、自機及び他の携帯電話の電話管理情報２６８を参照してそれぞれのシステム負荷を比較し、もっとも負荷の低い携帯電話１０５を選択する。そして、自機の誘導音声再生機能有効フラグ２６４をＯＦＦにし、無線通信部１０６０を介して選択した携帯電話
１０５の誘導音声再生機能有効フラグ２６４をＯＮにし、この携帯電話１０５に誘導音声再生を行わせるようにする。
【００４１】
図６は、上記の自動車１内のシステムにおける操作入力時および操作入力が競合したときの動作を示したものである。この例では、車内には、利用可能な携帯電話１０３と、２台の外部表示装置１１２，１１３が有り、初期状態では携帯電話１０３または外部表示装置１１２ないし１１３のどれでも操作入力可能であるとする。この場合、システム全体制御機能が携帯電話１０３と外部表示装置１１２，１１３の間で操作入力の競合を検知した際に、システム全体制御機能は、携帯電話１０３の操作入力機能情報２６５および外部表示装置１１２，１１３それぞれの操作入力機能情報２３２３を調べる。携帯電話１０３の操作入力機能情報２６５及び外部表示装置１１２，１１３それぞれの操作入力機能情報
２３２３において、優先度の高い携帯電話または外部表示装置のみ、操作入力機能を有効とし、その他の携帯電話または外部表示装置の操作入力機能を無効とする。この例の場合、運転席側の外部表示装置１１２と後部座席の外部表示装置１１３で操作入力が競合するため、優先度が低く設定されている外部表示装置１１３の操作入力を不可に変更している。操作入力の競合は、ある携帯電話または外部表示装置でＯＫボタンが押された後に、他の携帯電話または外部表示装置でキャンセルボタンが選択されるという一連の動作が何回も続いたことを、システムメインフラグがＯＮになっている携帯電話のシステム全体制御機能が判別することによって検知される。競合による操作制限の解除は、一連の入力が終了した際に行われる。
【００４２】
図７は、外部表示画面作成・転送機能情報２６６をカーナビゲーションに適用する例を示したものである。外部表示画面作成・転送機能情報２６６には、地図表示画面情報2661，ＴＢＴ(Turn-by-turn)表示画面情報２６６２，到達距離表示画面情報２６６３，交差点拡大図表示画面情報２６６４，レーン情報表示画面情報２６６５，目的地設定表示画面情報２６６６を格納する。地図表示画面情報２６６１は、現在地周辺地図などの地図表示画面を転送するか否かを示す情報である。ＴＢＴ表示画面情報２６６２は、次の誘導地点、たとえば交差点における進行方向矢印表示画面を転送するか否かを示す情報である。到達距離表示画面情報２６６３は、次の誘導地点までの距離、または目的地までの到達距離表示画面を転送するか否かを示す情報である。交差点拡大図表示画面情報２６６４は、誘導地点における交差点付近の拡大地図表示画面を転送するか否かを示す情報である。レーン情報表示画面情報２６６５は、走行中の道路の車線、および経路上において進むべき車線を行うか否かを示す情報である。目的地設定表示画面情報２６６６は、目的地設定を行う際に表示する画面を転送するか否かを示す情報である。これらの各情報２６６１〜2666には、画面の転送位置や表示領域を指定する情報も含まれているものとする。
【００４３】
図８は、外部表示装置１１０に対して複数の携帯電話１０６，１０７，１０８で作成した画面を転送して、外部表示装置１１０で合成し、その合成した画像を更に他の外部表示装置１１７に転送するというシステムの動作例を示した図である。この例は、複数の携帯電話１０６，１０７，１０８でそれぞれ独立に経路誘導が行われている場合、各携帯電話における誘導画面を１つの外部表示装置に集約し、複数の外部表示装置にて表示する例である。携帯電話１０６では、外部表示画面作成・転送機能情報２６６にて、ＴＢＴ表示画面情報２６６２および到達距離表示画面情報２６６３のみがＯＮとなっているので、TBT画像と到達距離表示の画像３０１を携帯電話１０６の外部表示画面作成機能１０５１により作成して無線通信部１０６０を介して外部表示装置１１０へ転送する。携帯電話１０７では、外部表示画面作成・転送機能情報２６６にて、誘導時の表示画面については交差点拡大図表示画面情報２６６４およびレーン情報表示画面情報２６６５がＯＮとなっているので、交差点拡大図表示画面とレーン情報表示画面の画像３０２を携帯電話１０７の外部表示画面作成機能１０５１により作成して無線通信部１０６０を介して外部表示装置110へを転送する。携帯電話１０８では、外部表示画面作成・転送機能情報２６６にて、地図表示画面情報２６６１のみがＯＮとなっているので、他の携帯電話の場合と同様にして地図表示画面の画像３０３を作成して転送する。外部表示装置１１０の表示機能では、各携帯電話の外部表示画面作成・転送機能情報２６６のそれぞれ該当する表示画面情報に記憶されている転送位置・領域の情報を参照することにより、それぞれの携帯電話から転送された画像を指定された位置、あるいは領域に表示する。
【００４４】
また、システムメインフラグ２６１がＯＮになっている携帯電話のシステム全体制御機能は、システム機能管理データ２７における外部表示装置間画面転送情報２３３を外部表示装置１１０へ送信する。外部表示装置１１０は、受信した外部表示装置間画面転送情報２３３の中に、自機の外部表示装置ＩＤが転送元外部表示装置ＩＤ２３３２に指定されている情報が存在する場合には、その外部表示装置間画面転送情報で転送先外部表示装置
ＩＤ２３３１に指定されている外部表示装置に対して、通信機能を用いて画面を送信する。この例の場合、転送先外部表示装置ＩＤとして外部表示装置１１７が指定されているものとし、外部表示装置１１７では、受信した画面を表示する。
【００４５】
図９は、上記の例と同様にして、複数の外部表示装置１１４，１１５に対して複数の携帯電話１０６，１０７，１０９で作成した画面を転送する例を示した図である。外部表示装置１１４ないし１１５への携帯電話１０６，１０７，１０９の割り当ては、各携帯電話のシステム全体制御機能がシステム機能管理データ２７における携帯電話−外部表示装置間画面転送情報２３４を参照することにより決定される。この図の例では外部表示装置
１１４に対しては、携帯電話１０６と携帯電話１０７が、外部表示装置１１５に対しては、携帯電話１０９が、それぞれ割り当てられているものとする。
【００４６】
図１０は、携帯電話で通話する際の、処理の分担変更、特に管理機能の委譲を説明する図である。初期状態においてシステムメインフラグ２６１がＯＮになっている携帯電話
１０３の、ロケータ機能が動作状態にあり、携帯電話の電話管理情報２６８もプログラム動作可能となっている。ここで、携帯電話のユーザが携帯電話を通話に使用する場合、電話管理情報２６８が通話中になる。この時、携帯電話では通話機能が優先されるため、プログラムの動作が出来なくなるため、ナビゲーションプログラムも動作しなくなり、誘導情報が出力されなくなる。そこで、携帯電話の１０３のシステム全体制御機能は、ロケータ機能を持ち、その機能を使用可能に出来る他の携帯電話１０５を選択し、そのシステムメインフラグ２６１をＯＮにし、システム機能管理データ２７を送信してシステム機能管理を携帯電話１０５へ委譲する。その後、システム機能管理を委譲された携帯電話１０５の全体制御機能はロケータ機能をＯＮにして、携帯電話１０３の処理を引き継ぐ。
【産業上の利用可能性】
【００４７】
本発明は、実施例のカーナビゲーションに限らず、テレビ，ラジオ，マルチメディアプレイヤーなどに応用可能である。
【図面の簡単な説明】
【００４８】
【図１】本発明の実施例におけるシステムの構成図である。
【図２】本発明の実施例における自動車内のシステムの構成図である。
【図３】本発明の実施例における、全体制御機能において管理に用いられる機能管理データの構成図である。
【図４】本発明の実施例における、システム全体制御機能で用いられるシステム機能管理データの構成図である。
【図５】本発明の実施例における、システムにおける誘導音声再生切り替え操作を説明する図である。
【図６】本発明の実施例における、システムにおける操作入力の競合発生時の動作を説明する図である。
【図７】本発明の実施例における、外部表示画面作成・転送機能情報の例である。
【図８】本発明の実施例において、外部表示装置に対する複数の携帯からの画面転送動作を説明する図である。
【図９】本発明の実施例において、複数の外部表示装置に対する複数の携帯からの画面転送動作を説明する図である。
【図１０】本発明の実施例において、通話処理発生時の処理の分担変更動作を示した図である。
【符号の説明】
【００４９】
１…自動車、３…ＧＰＳ衛星、６…基地局、８…ネットワーク、１２…ＥＣＵ、２０…サーバ、２１…ゲートウエイ、１００，１０２…携帯電話、１１０，１１１…外部表示装置。
【図１】
2006339690.tif 000003
【図２】
2006339690.tif 000004
【図３】
2006339690.tif 000005
【図４】
2006339690.tif 000006
【図５】
2006339690.tif 000007
【図６】
2006339690.tif 000008
【図７】
2006339690.tif 000009
【図８】
2006339690.tif 000010
【図９】
2006339690.tif 000011
【図１０】
2006339690.tif 000012